(57)【要約】【課題】蓋体で施蓋されるときの容器本体内部の空気排出を容易にし、施蓋後では容器内外を遮断密封し、容器内からの液状物を漏出させず、塵埃、異物等の侵入を阻止する。【解決手段】容器本体１周縁の嵌合凸部３と、蓋体２０周縁の嵌合凹部２２との嵌合によって施蓋する密封容器において、嵌合凸部３の内周壁４に容器本体１の内方側に傾斜形成した本体テーパー部７に容器本体１の外方側に窪んでいる本体嵌合溝部８を形成し、嵌合凹部２２の内周壁２３に本体テーパー部７の傾斜角度に比し稍大きくして蓋体２０の内方側に傾斜形成した蓋テーパー部２６に、蓋体２０の外方側に窪み、本体嵌合溝部８内に嵌まる蓋嵌合溝部２７を形成する。嵌合凸部３の外周壁１２には嵌合凹部２２の蓋外周壁３１の内側面に突き当たり、嵌合凸部３を容器本体１の内方側に、嵌合凹部２２を外方側に撓ませ、本体嵌合溝部８を蓋嵌合溝部２７に嵌め合わせる突出当片１３を設ける。【選択図】図４
2017137091.tif 000002
【特許請求の範囲】
【請求項１】
容器本体の周縁に上方に膨出させて形成した嵌合凸部と、容器本体の開口部を閉塞する蓋体の周縁に上方に膨出させて形成した嵌合凹部との嵌合によって容器本体を蓋体によって施蓋して成る密封容器において、嵌合凸部の内周壁に容器本体の内方側に傾斜形成した本体テーパー部に容器本体の外方側に窪んでいる本体嵌合溝部が形成されており、嵌合凹部の内周壁に本体テーパー部の傾斜角度に比し稍大きくして蓋体の内方側に傾斜形成した蓋テーパー部に、蓋体の外方側に窪み、前記本体嵌合溝部内に嵌まり込む蓋嵌合溝部が形成されており、嵌合凸部の外周壁には嵌合凹部の蓋外周壁の内側面に突き当たり、嵌合凸部を容器本体の内方側に、また嵌合凹部を蓋体の外方側に撓ませ、本体嵌合溝部を蓋嵌合溝部に嵌め合わせるようにした突出当片を設けたことを特徴とする密封容器。
【請求項２】
前記本体テーパー部は、容器本体の深さ方向に対して０°〜１０°で傾斜されている請求項１に記載の密封容器。
【請求項３】
前記蓋テーパー部は、蓋体の深さ方向に対して１０°〜２０°で傾斜されている請求項１または２に記載の密封容器。
【請求項４】
前記本体テーパー部は容器本体１の深さ方向に対して約５°で傾斜され、前記蓋テーパー部は蓋体の深さ方向に対して約１５°で傾斜されている請求項１に記載の密封容器。
【請求項５】
前記突出当片は、本体嵌合溝部と容器本体の内外方向でほぼ同一高さ位置に設けられている請求項１乃至４のいずれかに記載の密封容器。
【請求項６】
前記嵌合凸部の上側壁と前記嵌合凹部の蓋上側壁とは、嵌合凹部の嵌合凸部への嵌合時に当接するようにしてある請求項１乃至５のいずれかに記載の密封容器。
【発明の詳細な説明】
【技術分野】
【０００１】
本発明は、容器本体に蓋体を施蓋したときには容器内外を遮断密封し、例えば収容した食品から生じる液状物を外部に漏出させず、また外部からの汚染物質の侵入を防止し、収容した食品等を衛生的に維持できるようにした密封容器に関する。
【背景技術】
【０００２】
従来から、例えば液状物が含まれている各種の食品等を密封収納する食品容器として、容器本体の開口部に蓋体を施蓋するようにして成る合成樹脂シートの成形による各種の密封性ある容器が提供されている。このような容器では、容器本体に食品等を収納した後に蓋体を被せ、所定方法によって包装することで陳列販売されるのであり、陳列販売に際しての輸送、保管その他で食品等に含まれる液状物が漏出したり、外部から汚染物質等が侵入したりすることがないようにしている。
【０００３】
そのため、例えば特許文献１にあるような内外嵌合型の包装用容器、特許文献２にあるような密封蓋付容器、特許文献３にあるような密封容器等が提案されている。特許文献１の容器は、容器本体の上部に周設した嵌合突条に、蓋体の下部に周設した嵌合凹条を嵌合することで一体化するとする。特許文献２の容器は、容器の鉤状断面形状の環状屈曲部と、蓋の鉤状断面形状の環状折り曲げ部とを上下に圧して嵌着させ、当接する環状屈曲部の側面内径を環状折り曲げ部の側面外径より僅かに大きくすることで圧接させて、環状の線状接触で密接した密閉性が得られるようにするとする。特許文献３の容器は、容器本体に周設した嵌合凸条と、蓋に周設した嵌合凹条とを内外嵌合させ、嵌合凸条の外面に設けた線状溝に嵌合凹条に設けた内向きの線状突起が陥入するようにして成るとする。
【先行技術文献】
【特許文献】
【０００４】
【特許文献１】特開２００７−１７６５０７号公報
【特許文献２】特開平７−２０６０２０号公報
【特許文献３】特開２００９−６２０７３号公報
【発明の概要】
【発明が解決しようとする課題】
【０００５】
ところが特許文献１の包装用容器では、嵌合突条と嵌合凹条とを内外で嵌合させるにすぎないから、容器本体中の液状物がこの嵌合部分に至ると嵌合部分で生じる毛細管現象とも相俟ち外部に漏出することがある。特許文献２の蓋付容器では、容器本体の環状屈曲部に蓋体の環状折り曲げ部が嵌合されるとき、容器本体と蓋体との間で取り込まれる空気の圧力が上がり、蓋体が反発するようになって容器本体への嵌合操作が困難となることがある。特許文献３の密封容器では、嵌合凸条、嵌合凹条相互による内外嵌合、線状溝・線状突起による陥入構成で容器内圧力が上がっても嵌合状態が維持できるとするが、逆に容器本体に蓋を被せるときには被せ難くなるのである。
【０００６】
そこで本発明は上述したような従来存した諸事情に鑑み創出されたもので、容器本体を蓋体によって施蓋するとき、内部に閉じ込められる空気の排出を容易にして施蓋作業を円滑に行うことができ、また施蓋後では容器の内外を密封させ、例えば収容した食品類から生じ得る液状物を外部に漏出させず、外部からの塵埃、異物等の容器内への侵入を阻止し、例えば食品類である収容物を衛生的に維持保存できるようにした密封容器を提供することにある。
【課題を解決するための手段】
【０００７】
上述した課題を解決するため、本発明にあっては、後述する発明を実施するための形態における使用符号を付記して説明すると、容器本体１の周縁に上方に膨出させて形成した嵌合凸部３と、容器本体１の開口部を閉塞する蓋体２０の周縁に上方に膨出させて形成した嵌合凹部２２との嵌合によって容器本体１を蓋体２０によって施蓋して成る密封容器において、嵌合凸部３の内周壁４に容器本体１の内方側に傾斜形成した本体テーパー部７に容器本体１の外方側に窪んでいる本体嵌合溝部８が形成されており、嵌合凹部２２の蓋内周壁２３に本体テーパー部７の傾斜角度に比し稍大きくして蓋体２０の内方側に傾斜形成した蓋テーパー部２６に、蓋体２０の外方側に窪み、前記本体嵌合溝部８内に嵌まり込む蓋嵌合溝部２７が形成されており、嵌合凸部３の外周壁１２には嵌合凹部２２の蓋外周壁３１の内側面に突き当たり、嵌合凸部３を容器本体１の内方側に、また嵌合凹部２２を蓋体２０の外方側に撓ませ、本体嵌合溝部８を蓋嵌合溝部２７に嵌め合わせるようにした突出当片１３を設けたことを特徴とする。
本体テーパー部７は、容器本体１の深さ方向に対して０°〜１０°で傾斜されているとして構成することができる。
蓋テーパー部２６は、蓋体２０の深さ方向に対して１０°〜２０°で傾斜されているとして構成することができる。
本体テーパー部７は容器本体１の深さ方向に対して約５°で傾斜され、蓋テーパー部２６は蓋体２０の深さ方向に対して約１５°で傾斜されているとして構成することができる。
突出当片１３は、本体嵌合溝部８と容器本体１の内外方向でほぼ同一高さ位置に設けられて構成することができる。
嵌合凸部３の上側壁１１と嵌合凹部２２の蓋上側壁２９とは、嵌合凹部２２の嵌合凸部３への嵌合時に当接するようにして構成することができる。
【０００８】
以上のように構成された本発明に係る密封容器にあって、所定の例えば食品類Ｆが収容された容器本体１に蓋体２０が、それぞれの周縁に設けた嵌合凸部３と嵌合凹部２２とが嵌合されることで施蓋されると、容器本体１の内外を遮断して密封し、例えば食品類Ｆから生じる液状物の外部への漏出、外部からの塵埃、異物等の侵入を阻止させる。
容器本体１の嵌合凸部３に対する蓋体２０の嵌合凹部２２の嵌合時において、嵌合凸部３における内周壁４の本体テーパー部７に嵌合凸部３における蓋内周壁２３の蓋テーパー部２６が当接するとき、蓋テーパー部２６は本体テーパー部７に比し傾斜角度が稍大きいことで、容器本体１内部に取り込まれるようになる空気を排出させ、施蓋時の嵌合操作に際する内圧を低減させて容器本体１に対する蓋体２０を容易に施蓋させる。
嵌合凸部３における外周壁１２に設けた突出当片１３は、嵌合凹部２２が嵌合凸部３に嵌合されたときには嵌合凹部２２の蓋外周壁３１の内側面に突き当てられ、嵌合凸部３の上部を容器本体１の内方側に撓ませて、ほぼ同一高さ位置にある本体嵌合溝部８を蓋嵌合溝部２７に嵌め合わせ密着させ、容器内外を一層遮断し、密封性を向上させる。
嵌合凸部３に対する嵌合凹部２２の嵌合時では、上側壁１１に蓋上側壁２９が当接し、蓋外周壁３１に突き当てられる突出当片１３による嵌合凸部３における上部自体を容器本体１の内方側に確実に撓ませると共に、嵌合凹部２２の蓋内周壁２３を蓋体２０の外方側に引き寄せるものとさせ、本体嵌合溝部８と蓋嵌合溝部２７との嵌め合わせ密着を強固にもさせる。
【発明の効果】
【０００９】
本発明は以上説明したように構成されているため、容器本体１を蓋体２０によって施蓋するとき、施蓋作業時に内部に閉じ込められる空気の排出を容易にして施蓋作業を円滑に行うことができ、また施蓋後では容器の内外を遮断密封させ、例えば収容した食品類Ｆから生じ得る液状物を外部に漏出させず、外部からの塵埃、異物等の容器内への侵入をも阻止し、例えば食品類Ｆである収容物を衛生的に維持保存できる。
【００１０】
すなわちこれは、本発明において、容器本体１の周縁に形成した嵌合凸部３と、蓋体２０の周縁に形成した嵌合凹部２２との嵌合による密封容器において、嵌合凸部３の内周壁４に容器本体１の内方側に傾斜形成した本体テーパー部７に容器本体１の外方側に窪んでいる本体嵌合溝部８が形成されており、嵌合凹部２２の蓋内周壁２３に本体テーパー部７の傾斜角度に比し稍大きくして蓋体２０の内方側に傾斜形成した蓋テーパー部２６に、蓋体２０の外方側に窪み、前記本体嵌合溝部８内に嵌まり込む蓋嵌合溝部２７が形成されており、嵌合凸部３の外周壁１２には嵌合凹部２２の蓋外周壁３１の内側面に突き当たり、嵌合凸部３を容器本体１の内方側に撓ませ、本体嵌合溝部８を蓋嵌合溝部２７に嵌め合わせるようにした突出当片１３を設けたからである。これによって、嵌合施蓋時の容器内に生じる内圧の低減による施蓋作業の容易性、本体嵌合溝部８・蓋嵌合溝部２７相互の嵌め合いによる密封性等を図ることができる。
【００１１】
また、嵌合凸部３の内周壁４における本体テーパー部７は容器本体１の深さ方向に対して０°〜１０°、好ましくは約５°で傾斜され、嵌合凹部２２の蓋内周壁２３における蓋テーパー部２６は蓋体２０の深さ方向に対して１０°〜２０°、好ましくは約１５°で傾斜されていることで、嵌合凸部３に嵌合凹部２２が嵌合されるときには、相互に向き合い状になる本体テーパー部７と蓋テーパー部２６との間に空隙が形成され、容器本体１と蓋体２０との間に閉じ込められるような空気を排出する案内路となり、容器本体１の内部圧力を低減させ、施蓋作業を円滑に遂行できる。
【００１２】
容器本体１がわの嵌合凸部３の上側壁１１と、蓋体２０がわの嵌合凹部２２の蓋上側壁２９とは、嵌合凹部２２が嵌合凸部３に嵌合したときには当接するようにしてあるから、嵌合凸部３の外周壁１２に設けた突出当片１３が嵌合凹部２２の外周壁１２の内側面に突き当てられたときに嵌合凸部３の上部を容器本体１の内方側に撓ませ、また嵌合凹部２２を蓋体２０の外方側に引き寄せるようになり、突出当片１３が本体嵌合溝部８と同一高さ位置にあることと相俟ち、本体嵌合溝部８を蓋嵌合溝部２７に密着状に嵌め合わせ、容器の内外を遮断して密封性を維持できる。そのため、例えば収容した食品類Ｆから生じ得る液状物を外部に漏出させず、また外部からの塵埃、その他の異物を侵入させることもなく、収容した食品類Ｆを衛生的に維持することができる。
【００１３】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１４】
【図１】本発明を実施するための一形態を示す分解斜視図である。
【図２】同じく施蓋前の分解要部断面図である。
【図３】同じく施蓋中の要部断面図である。
【図４】同じく施蓋時の要部断面図である。
【図５】同じく容器本体の平面図である。
【発明を実施するための形態】
【００１５】
以下、図面を参照して本発明を実施するための一形態を説明すると、図において示される符号１は適宜肉厚の例えば透明な合成樹脂シートによって成形された容器本体であり、この容器本体１上部における開口部の周縁に、上方に向けて膨出された嵌合凸部３が形成されている。この容器本体１の開口部は蓋体１０によっていわゆる外嵌合式にして閉塞されるもので、蓋体２０には、蓋体２０下部における開口部の周縁に、上方に向けて膨出されていて、容器本体１の嵌合凸部３に上方から強制的に嵌め合わせる嵌合凹部２２が形成されている。
【００１６】
容器本体１、蓋体２０は共に平面で円形状を呈するも、これに限定されず、また容器本体１は必要とする容積・容量を備えるよう全体径、深さ等が設定されるよう適宜肉厚の合成樹脂シートを成形加工等することによって形成されている。図例にあっては蓋体２０が容器本体１に被せられたとき、容器本体１の内周縁に形成した段部２上に蓋体２０における平坦状の蓋板２１の周縁の内側部分が当接載置され、嵌合凸部３に対する嵌合凹部２２の嵌め合わせによって容器本体１は蓋体２０によって施蓋される。
【００１７】
嵌合凸部３は、容器本体１の内方側で段部２から立脚されている内周壁４、この内周壁４に連続している上側壁１１、上側壁１１に連続して容器本体１の外方側で垂下されている外周壁１２から成る。
【００１８】
内周壁４は、前記段部２の外周縁部から立ち上がる立脚部５に容器本体１の外方側に傾斜した傾斜部６が形成され、この傾斜部６に容器本体１の内方側に傾斜した本体テーパー部７が連続されていて、この本体テーパー部７には容器本体１の外方側に円弧状で窪んでいる本体嵌合溝部８が形成されていると共に、本体テーパー部７の上縁からの傾斜部９を介し上側壁１１に連続している。
【００１９】
この嵌合凸部３における本体テーパー部７は、容器本体１に対して、すなわち容器本体１の深さ方向に対して０°〜１０°、好ましくは５°程度で容器本体１の内方に向かって傾斜している。この本体テーパー部７に形成された本体嵌合溝部８は、図例にあってはほぼ１／３円形状を呈しており、後述する蓋体２０における蓋嵌合溝部２７が嵌まり込むようになっている。
【００２０】
上側壁１１は、平坦状に形成されていて、嵌合凸部３における頂部を形成している。
【００２１】
この上側壁１１から連続している外周壁１２は、前記内周壁４とは半ば対峙状に配置されており、容器本体１の外方側に向けて下るように傾斜していて、その下端は前記本体嵌合溝部８とほぼ同一の高さ位置としてある。また、この外周壁１２の下端には、容器本体１の外方に向かっている突出当片１３が折曲形成されていて、この突出当片１３の先端は、後述する嵌合凹部２２の蓋外周壁３１の内側面に突き当てられるものとしてあって、本体嵌合溝部８と容器本体１の内外方向でほぼ同一高さ位置に設けられている。突き当てられるとき、突出当片１３自体は容器本体１の内方側に後退することで外周壁１２、上側壁１１を共に容器本体１の内方側に撓ませることになり、そのため内周壁４、特に本体嵌合溝部８を容器本体１の内方側に押圧傾斜させるようになっている。
【００２２】
また、容器本体１における外周壁部分の上部には、この外周壁の一部分を内方側に窪むようにして形成したスタック部１４が、周方向に沿って適宜間隔で例えば計４個にして設けられており、容器本体１それぞれにおいて異なる位置に設けられることで、容器本体１が重ね合わせられた保管後で、使用されるときの相互を簡単容易に離反できるようにしている。
【００２３】
蓋体２０に形成された嵌合凹部２２は、蓋体２０の内方側で前記蓋板２１から立脚されている蓋内周壁２３、この蓋内周壁２３に連続している蓋上側壁２９、蓋上側壁２９に連続して蓋体２０の外方側で垂下されている蓋外周壁３１から成る。
【００２４】
蓋内周壁２３は、前記蓋板２１の外周縁部から立ち上がる蓋立脚部２４に蓋体２０の外方側に傾斜した蓋傾斜部２５が形成され、この蓋傾斜部２５に蓋体２０の内方側に傾斜した蓋テーパー部２６が連続されていて、この蓋テーパー部２６には蓋体２０の外方側に円弧状で窪んでいる蓋嵌合溝部２７が形成されていると共に、蓋テーパー部２６の上縁からの蓋傾斜部２８を介し蓋上側壁２９に連続している。
【００２５】
また、嵌合凹部２２が嵌合凸部３に嵌合されたときに、蓋立脚部２４は嵌合凸部３における前記立脚部５の外側面に、蓋傾斜部２５は同じく前記傾斜部６の外側面にそれぞれ当接するように形成されている。
【００２６】
蓋テーパー部２６は、蓋体２０に対して、すなわち蓋体２０の深さ方向に対して１０°〜２０°、好ましくは１５°程度で蓋体２０の内方に向かって傾斜しており、本体テーパー部７との角度差はほぼ１０°程度となるようにしている。そして、嵌合凹部２２が嵌合凸部３に嵌合されたときに、この蓋テーパー部２６の内側面は嵌合凸部３における前記本体テーパー部７の外側面に、蓋嵌合溝部２７の内側面は前記本体嵌合溝部８の外側面にそれぞれ対峙するように形成されている。また蓋嵌合溝部２７は本体嵌合溝部８とほぼ相似形にして円弧状に窪ませて形成されていて、蓋嵌合溝部２７の両基部は本体嵌合溝部８の両基部に当接するように設けられている。
【００２７】
なお、この蓋テーパー部２６において、下部位の蓋傾斜部２５と上部位の蓋傾斜部２８との間の全域の傾斜が１０°〜２０°となっている場合に限らず、蓋嵌合部２７の上端から上部位の蓋傾斜部２８の下端に至るまでの上部分が、前記本体テーパー部７とほぼ同一の傾斜角度として形成される場合もある。こうすることで、嵌合凸部３に嵌合凹部２２が嵌合されたときの本体テーパー部７と蓋テーパー部２６との密着性を良好にし、容器内外での密封性を一層向上させることができる。
【００２８】
この蓋テーパー部２６の上縁に連続形成した蓋傾斜部２８を介して平坦状の蓋上側壁２９が形成されており、この蓋上側壁２９は、嵌合凸部３に嵌合凹部２２が嵌合されたとき、前記上側壁１１の上面に当接するようになっている。
【００２９】
この蓋上側壁２９における蓋体２０の外方側に傾斜部分を介して前記蓋外周壁３１が垂下状に連続形成されており、この蓋外周壁３１の下端は蓋体２０の外方側に下り傾斜している傾斜部分を介して、前記蓋板２１に比しやや下方位置で蓋体２０の外方に向かっている開放操作片３２が折曲形成されている。
【００３０】
なお、嵌合凹部２２における蓋内周壁２３、すなわち蓋嵌合溝部２７の内側面と蓋外周壁３１との内法幅員は、嵌合凸部３における内周壁４、すなわち本体嵌合溝部８の外側面と突出当片１３の先端との外法幅員に比しやや小さくしており、嵌合凸部３に嵌合凹部２２が嵌合されたとき、突出当片１３が蓋外周壁３１の内側面に突き当てられることで蓋嵌合溝部２７を蓋体２０の外方側に押圧するようにしている。また、この突出当片１３の蓋外周壁３１の内側面に対する突き当ては、内周壁４を容器本体１の内方側に押圧するようにもしている
【００３１】
また、嵌合凹部２２における蓋外周壁３１には、この嵌合凹部２２の内方側に窪むようにして形成したスタック部３３が、周方向に沿って適宜間隔で例えば計４個にして設けられており、蓋体２０それぞれにおいて異なる位置に設けられることで、蓋体２０が重ね合わせられた保管後で、使用されるときの相互を簡単容易に離反できるようにしている。
【００３２】
次にこれの使用の一例を説明すると、所定の各種の食品類Ｆを収容した容器本体１に蓋体２０を施蓋し密封するのであり、容器本体１の周縁に設けてある嵌合凸部３に、蓋体２０の周縁に設けてある嵌合凹部２２を嵌合すれば良く、例えば一部分を相互に嵌合させた状態で蓋体２０における蓋板２１部分を上方から押し下げるようにして内包される空気を排出しながら嵌合凸部３に嵌合凹部２２を嵌合することで施蓋する。
【００３３】
嵌合凸部３に対する嵌合凹部２２の被せ、嵌合に際し、嵌合凸部３の内周壁４の外面を嵌合凹部２２の蓋内周壁２３の基部部分が順次に滑るようにして当接するのであり（図３参照）、蓋体２０の外方側に傾斜している蓋テーパー部２６の下端が、同じく容器本体１の外方側に傾斜している本体テーパー部７の外側面上を滑るようにして、また本体テーパー部７を容器本体１の外方側に強制的にでも撓ませながら段部２側に移動する。このとき、本体テーパー部７に比し傾斜角度が大きい蓋テーパー部２６との間で、蓋体２０が容器本体１の内部に閉じ込める空気を排出させもし、蓋体２０の施蓋時における容器本体１内に生じる内圧を減少させ、施蓋作業を円滑に行わせる。
【００３４】
また、嵌合凹部２２が嵌合凸部３に嵌合されると、上側壁１１に蓋上側壁２９が密着状に当接する一方、嵌合凹部２２における蓋外周壁３１の内面に、嵌合凸部３における外周壁１２に設けられている突出当片１３が突き当たり、嵌合凸部３の上部分自体を容器本体１・蓋体２０の内方側に撓ませると共に、嵌合凹部２２の上部分自体を蓋体２０の外方側に引き寄せるようになる。そのため、嵌合凸部３における本体テーパー部７が嵌合凹部２２における蓋テーパー部２６に密着状に当接し、蓋嵌合溝部２７の内部に本体嵌合溝部８が嵌まり込むよう、本体嵌合溝部８が蓋嵌合溝部２７に嵌め合わせられるものとしてある。こうすることで、本体嵌合溝部８の基部の外側面が蓋嵌合溝部２７の基部の内側面に密着することで内外を一層遮断・封止して密封する。
【００３５】
この密封状態は、例えば容器本体１内に収容した食品類Ｆを外部と遮断し、特に食品類Ｆから生じる汁、滲出物等の液状物を外部にも漏出させず、また外部からの塵埃、異物その他をも侵入させないようになる。
【符号の説明】
【００３６】
Ｆ…食品類
１…容器本体                            ２…段部
３…嵌合凸部                            ４…内周壁
５…立脚部                              ６…傾斜部
７…本体テーパー部                      ８…本体嵌合溝部
９…傾斜部                              １１…上側壁
１２…外周壁                            １３…突出当片
１４…スタック部
２０…蓋体                              ２１…蓋板
２２…嵌合凹部                          ２３…蓋内周壁
２４…蓋立脚部                          ２５…蓋傾斜部
２６…蓋テーパー部                      ２７…蓋嵌合溝部
２８…蓋傾斜部                          ２９…蓋上側壁
３１…蓋外周壁                          ３２…開放操作片
３３…スタック部
【図１】
2017137091.tif 000003
【図２】
2017137091.tif 000004
【図３】
2017137091.tif 000005
【図４】
2017137091.tif 000006
【図５】
2017137091.tif 000007
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
容器本体の周縁に上方に膨出させて形成した嵌合凸部と、容器本体の開口部を閉塞する蓋体の周縁に上方に膨出させて形成した嵌合凹部との嵌合によって容器本体を蓋体によって施蓋して成る密封容器において、嵌合凸部の内周壁に容器本体の内方側に傾斜形成した本体テーパー部に容器本体の外方側に窪んでいる本体嵌合溝部が形成されており、嵌合凹部の内周壁に本体テーパー部の傾斜角度に比し稍大きくして蓋体の内方側に傾斜形成した蓋テーパー部に、蓋体の外方側に窪み、前記本体嵌合溝部内に嵌まり込む蓋嵌合溝部が形成されており、嵌合凸部の外周壁には嵌合凹部の蓋外周壁の内側面に突き当たり、嵌合凸部を容器本体の内方側に、また嵌合凹部を蓋体の外方側に撓ませ、本体嵌合溝部を蓋嵌合溝部に嵌め合わせるようにした突出当片を設け、この突出当片は、本体嵌合溝部と容器本体の内外方向でほぼ同一高さ位置に設けられていることを特徴とする密封容器。
【請求項２】
前記本体テーパー部は、容器本体の深さ方向に対して０°〜１０°で傾斜されている請求項１に記載の密封容器。
【請求項３】
前記蓋テーパー部は、蓋体の深さ方向に対して１０°〜２０°で傾斜されている請求項１または２に記載の密封容器。
【請求項４】
前記本体テーパー部は容器本体１の深さ方向に対して約５°で傾斜され、前記蓋テーパー部は蓋体の深さ方向に対して約１５°で傾斜されている請求項１に記載の密封容器。
【請求項５】
前記嵌合凸部の上側壁と前記嵌合凹部の蓋上側壁とは、嵌合凹部の嵌合凸部への嵌合時に当接するようにしてある請求項１乃至４のいずれかに記載の密封容器。